【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
ページ画像全体を表示するのに適したページ画像表示モードと、ページ画像内の文字領域の幅を画面の幅に合わせて前記文字領域を強調表示する部分領域表示モードと、文字領域内の文字を折り返して拡大表示する折り返し表示モードとのうちのいずれかの表示モードでページ画像を表示する表示手段と、
前記折り返し表示モードで表示されている文字領域内の文字に対して縮小指示が為された場合に、前記縮小指示された文字領域の当該指示された縮小後の幅が前記画面の幅以下であるか否かを判定する第１の判定手段と、
前記第１の判定手段により、前記縮小指示された文字領域の当該指示された縮小後の幅が前記画面の幅以下であると判定された場合、前記表示モードを前記部分領域表示モードに切り替えて、さらに、前記ページ画像内の文字領域の幅が前記画面の幅に合うように、前記ページ画像内の前記文字領域を表示するように制御する制御手段と、を備える
ことを特徴とする画像表示装置。
【請求項２】
前記部分領域表示モードで表示されている文字領域に対して縮小指示が為された場合に、前記縮小指示された文字領域の当該指示された縮小後の幅と高さが前記画面の幅と高さより小さいか否かを判定する第２の判定手段をさらに有し、
前記制御手段は、前記第２の判定手段により前記縮小指示された文字領域の当該指示された縮小後の幅と高さが前記画面の幅と高さより小さいと判定された場合、前記表示モードを前記ページ画像表示モードに切り替えて、前記ページ画像全体を表示するように制御する
ことを特徴とする請求項１に記載の画像表示装置。
【請求項３】
前記第１の判定手段は、前記折り返し表示モードで表示されている文字領域が横書きであって且つ前記折り返し表示モードで表示されている文字領域内の文字に対して縮小指示が為された場合に、前記縮小指示された文字領域の当該指示された縮小後の幅が前記画面の幅以下であるか否かを判定することを特徴とする
ことを特徴とする請求項１または請求項２に記載の画像表示装置。
【請求項４】
前記第１の判定手段は、前記折り返し表示モードで表示されている文字領域が縦書きであって且つ前記折り返し表示モードで表示されている文字領域内の文字に対して縮小指示が為された場合に、前記縮小指示された文字領域の当該指示された縮小後の高さが前記画面の高さ以下であるか否かを判定し、
前記制御手段は、前記第１の判定手段により前記縮小指示された文字領域の当該指示された縮小後の高さが前記画面の高さ以下であると判定された場合、前記表示モードを前記部分領域表示モードに切り替えて、さらに、前記ページ画像内の文字領域の高さが前記画面の高さに合うように、前記ページ画像内の前記文字領域を表示するように制御する
ことを特徴とする請求項３に記載の画像表示装置。
【請求項５】
前記部分領域表示モードで表示されている文字領域に対して拡大指示が為された場合に、前記拡大指示された文字領域の当該指示された拡大後の幅が前記画面の幅より大きいか否かを判定する第３の判定手段をさらに有し、
前記制御手段は、前記第３の判定手段により前記拡大指示された文字領域の当該指示された拡大後の幅が前記画面の幅より大きいと判定された場合、前記表示モードを前記折り返し表示モードに切り替えて、さらに、前記拡大指示された文字領域内の文字を折り返して拡大表示するように制御する
ことを特徴とする請求項１乃至４のいずれか一項に記載の画像表示装置。
【請求項６】
前記第３の判定手段は、前記部分領域表示モードで表示されている文字領域が横書きであって且つ前記部分領域表示モードで表示されている文字領域に対して拡大指示が為された場合に、前記拡大指示された文字領域の当該指示された拡大後の幅が前記画面の幅より大きいか否かを判定する
ことを特徴とする請求項５のいずれか一項に記載の画像表示装置。
【請求項７】
前記第３の判定手段は、前記部分領域表示モードで表示されている文字領域が縦書きであって且つ前記部分領域表示モードで表示されている文字領域に対して拡大指示が為された場合に、前記拡大指示された文字領域の当該指示された拡大後の高さが前記画面の高さより大きいか否かを判定し、
前記制御手段は、前記第３の判定手段により前記拡大指示された文字領域の当該指示された拡大後の高さが前記画面の高さより大きいと判定された場合、前記表示モードを前記折り返し表示モードに切り替えて、さらに、前記拡大指示された文字領域内の文字を折り返して拡大表示するように制御する
ことを特徴とする請求項５に記載の画像表示装置。
【請求項８】
前記縮小指示は、ピンチイン操作である
ことを特徴とする請求項１乃至７のいずれか一項に記載の画像表示装置。
【請求項９】
前記拡大指示は、ピンチアウト操作である
ことを特徴とする請求項５乃至請求項８のいずれか一項に記載の画像表示装置。
【請求項１０】
前記ページ画像表示モードで表示されている前記ページ画像内の文字領域に対して拡大指示が為されたかを判定する第４の判定手段をさらに有し、
前記制御手段は、前記第４の判定手段により前記ページ画像内の文字領域に対して拡大指示が為されたと判定された場合、前記表示モードを前記部分領域表示モードに切り替えて、さらに、前記拡大指示された文字領域の幅が前記画面の幅に合うように、前記ページ画像内の前記文字領域を表示するように制御する
ことを特徴とする請求項１乃至９のいずれか一項に記載の画像表示装置。
【請求項１１】
前記ページ画像表示モードで表示されている前記ページ画像内の文字領域に対する拡大指示は、ダブルタップ操作である
ことを特徴とする請求項１０に記載の画像表示装置。
【請求項１２】
前記折り返し表示モードで表示される前記文字領域内の文字は、前記部分領域表示モードで表示されている前記文字領域の上に重ねて表示される
ことを特徴とする請求項１乃至１１のいずれか一項に記載の画像表示装置。
【請求項１３】
ぺージ画像全体を表示するのに適したページ画像表示モードと、ページ画像内の文字領域の幅を画面の幅に合わせて前記文字領域を強調表示する部分領域表示モードと、文字領域内の文字を折り返して拡大表示する折り返し表示モードとのうちのいずれかの表示モードでページ画像を表示する表示工程と、
前記折り返し表示モードで表示されている文字領域内の文字に対して縮小指示が為された場合に、前記縮小指示された文字領域の当該指示された縮小後の幅が前記画面の幅以下であるか否かを判定する第１の判定工程と、 
前記第１の判定工程で、前記縮小指示された文字領域の当該指示された縮小後の幅が前記画面の幅以下であると判定された場合、前記表示モードを前記部分領域表示モードに切り替えて、さらに、前記ページ画像内の文字領域の幅が前記画面の幅に合うように、前記ページ画像内の前記文字領域を表示するように制御する制御工程と、を 有する
ことを特徴とする画像表示装置の制御方法。
【請求項１４】
請求項１３に記載の制御方法をコンピュータに実行させることを特徴とするコンピュータプログラム。
【手続補正２】
【補正対象書類名】明細書
【補正対象項目名】０００８
【補正方法】変更
【補正の内容】
【０００８】
本発明の一実施形態の画像表示装置は、ページ画像全体を表示するのに適したページ画像表示モードと、ページ画像内の文字領域の幅を画面の幅に合わせて前記文字領域を強調表示する部分領域表示モードと、文字領域内の文字を折り返して拡大表示する折り返し表示モードとのうちのいずれかの表示モードでページ画像を表示する表示手段と、前記折り返し表示モードで表示されている文字領域内の文字に対して縮小指示が為された場合に、前記縮小指示された文字領域の当該指示された縮小後の幅が前記画面の幅以下であるか否かを判定する第１の判定手段と、前記第１の判定手段により、前記縮小指示された文字領域の当該指示された縮小後の幅が前記画面の幅以下であると判定された場合、前記表示モードを前記部分領域表示モードに切り替えて、さらに、前記ページ画像内の文字領域の幅が前記画面の幅に合うように、前記ページ画像内の前記文字領域を表示するように制御する制御手段と、を備える。
【手続補正３】
【補正対象書類名】図面
【補正対象項目名】図２７
【補正方法】変更
【補正の内容】
【図２７】
2014120075.tif 000001
【手続補正４】
【補正対象書類名】図面
【補正対象項目名】図３８
【補正方法】変更
【補正の内容】
【図３８】
2014120075.tif 000002
【手続補正５】
【補正対象書類名】図面
【補正対象項目名】図３９
【補正方法】変更
【補正の内容】
【図３９】
2014120075.tif 000003